(57)【要約】      （修正有）【課題】実用効果を高めることができるタッチパネル機器用ポーチを提供する。【解決手段】表側シート及び裏側シート２Ｂを重ね合せて周縁部をミシン糸で縫い合せた袋状のポーチ本体５において、表側シートに操作窓を設けると共に、裏側シート２Ｂの外表面に意匠図柄をインクによって転写印刷できるようにしたことにより、ポーチ本体５を全体としてユーザの好みに沿った趣向のものに置き換えることができるようにしたことにより、ユーザが使用し易いタッチパネル機器用ポーチ１を実現できる。【選択図】図３
0003211944.tif 000002
【実用新案登録請求の範囲】
【請求項１】
表側シート及び裏側シートを重ね合せると共に、その周縁部を挿入口を除いて袋状に形成してタッチパネル機器を上記挿入口から挿入保持するポーチ本体を有し、
上記挿入された上記タッチパネル機器のタッチパネルの操作面はユーザが上記表側シートの中央部分に形成された操作窓から操作フィルムを介して目視しながら操作することにより上記タッチパネル機器を外傷から守ると共に、情報処理動作させることができ、
上記裏側シートの表面は必要に応じて選択された意匠図柄をインクによって転写印刷することにより上記ポーチ本体を全体としてユーザの好みに沿った趣向のものに置き換えることができる
ようにしたことを特徴とするタッチパネル機器用ポーチ。
【請求項２】
上記操作窓は、
上記ポーチ本体に大型のタッチパネル機器を挿入保持されたときユーザが上記タッチパネルの操作子を操作でき、
かつ上記ポーチ本体に小型のタッチパネル機器を挿入保持されたときユーザが上記タッチパネルの表面を全体として表示できる大きさに選定されている
ことを特徴とする請求項１に記載のタッチパネル機器用ポーチ。
【請求項３】
上記ポーチ本体の上記挿入口と対向する下端部に充電プラグ・イヤホンジャック用穴を設けた
ことを特徴とする請求項１に記載のタッチパネル機器用ポーチ。
【請求項４】
上記表側シートの上記操作窓の上記周縁部の上面に、必要に応じて選択された意匠図柄をインクによって転写印刷することによって上記ポーチ本体をユーザの好みに沿った趣向のものに置き換えることができる
ことを特徴とする請求項１に記載のタッチパネル機器用ポーチ。
【考案の詳細な説明】
【技術分野】
【０００１】
本考案はタッチパネル機器用ポーチに関し、全体として実用性を高めることができるようしたものである。
【背景技術】
【０００２】
従来、スマートフォンやタブレットなどのタッチパネル機器を、その操作面を簡便に操作できるように袋状ポーチに収納して、外部からの衝撃から保護しながら持ち運ぶことができるようにしたタッチパネル機器用ポーチが提案されている（特許文献１参照）。
【先行技術文献】
【特許文献】
【０００３】
【特許文献１】実用新案登録第３１９８７０３号
【考案の概要】
【考案が解決しようとする課題】
【０００４】
ところでこの種のタッチパネル機器用ポーチは、利用者が当該タッチパネル機器を身の回り品として常時持ち運んでいる機器であるから利用者が取り落とした際に破損しないように保護するばかりではなく、好みに応じて手に触れていることに安心感を持たせるような意匠的効果を持っていることが実用上重要である。
【０００５】
本考案は以上の点を考慮してなされたもので、タッチパネルを保護しかつ当該タッチパネルをポーチ本体から取り出さなくとも、簡便にしかも違和感なく操作できるような安心感を与えることができるようにしたタッチパネル機器用ポーチを提案しようとするものである。
【課題を解決するための手段】
【０００６】
かかる課題を解決するため本考案においては、表側シート２Ａ及び裏側シート２Ｂを重ね合せると共に、その周縁部を挿入口３を除いてミシン糸４で縫い合せることにより、袋状に形成してタッチパネル機器１０を挿入口３から挿入保持するポーチ本体５を有し、挿入されたタッチパネル機器１０のタッチパネルの操作面１３はユーザが表側シート２Ａの中央部分に形成された操作窓１１から操作フィルム１２を介して目視しながら操作することによりタッチパネル機器１０を外傷から守ると共に、情報処理動作させることができ、裏側シート２Ｂの表面は必要に応じて選択された意匠図柄をインクによって転写印刷することによりポーチ本体５を全体としてユーザの好みに沿った趣向のものに置き換えることができるようにする。
【考案の効果】
【０００７】
本考案によれば、表側シート及び裏側シートを重ね合せて周縁部をミシン糸で縫い合せた袋状のポーチ本体において、表側シートに操作窓を設けると共に、裏側シートの外表面に意匠図柄をインクによって転写印刷できるようにしたことにより、ポーチ本体を全体としてユーザの好みに沿った趣向のものに置き換えることができるようにしたことにより、ユーザが使用し易いタッチパネル機器用ポーチを実現できる。
【図面の簡単な説明】
【０００８】
【図１】（Ａ）及び（Ｂ）は本考案によるタッチパネル機器用ポーチの全体構成を示す斜視図及び部分拡大図である。
【図２】ポーチ本体にタッチパネル機器としてのスマートフォンを挿入する状態を示す略線的斜視図である。
【図３】裏側シートの意匠画印刷面の説明に供する斜視図である。
【図４】小型スマートフォンの収納状態を示す斜視図である。
【図５】小型スマートフォンの操作面の説明に供する断面図である。
【図６】大型スマートフォンの操作面の説明に供する断面図である。
【図７】開閉機構の説明に供する略線的斜視図である。
【図８】開閉機構の説明に供する略線的斜視図である。
【図９】他の実施の形態（１）を示す略線的斜視図である。
【図１０】他の実施の形態（２）を示す略線的斜視図である。
【考案を実施するための形態】
【０００９】
以下図面について、本考案の一実施の形態を詳述する。
【００１０】
（１）第１の実施の形態
図１において、１は全体としてタッチパネル機器用ポーチを示し、図１（Ｂ）に示すように表側シート２Ａ及び裏側シート２Ｂを互いに重ね合わせ、図１（Ａ）に示すように、上端の挿入口３を残して下端縁から左及び右端縁に亘ってミシン糸４によって縫い付けられたポーチ本体５を有する。
【００１１】
表側シート２Ａ及び裏側シート２Ｂは合成樹脂材料でなるシート部材で構成され、これにより図２に示すように、挿入口３を開いてタッチパネル機器であるスマートフォン１０を挿入できるようになされている。
【００１２】
表側シート２Ａの中央部分には操作窓１１が設けられ、操作窓１１を内側から覆うように設けれた操作フィルム１２（ミシン糸４Ｘによって縫いつけられている）を介してユーザが挿入口３から挿入されたスマートフォン１０の操作面１３（すなわちタッチパネル）を操作できるようになされている。
【００１３】
この実施の形態の場合、ユーザは、スマートフォン１０をカメラ動作させる場合は、スマートフォン１０の上端部を挿入口３から上方に外部に突出させるようにスマートフォン１０を移動させた状態において、当該突出させた上端部分にあるカメラ部分を操作面１３を操作することにより動作させる。
【００１４】
この実施の形態の場合、ポーチ本体５にはストラップ用フック１５Ａ及び１５Ｂ（又はハト目）によって両端が接続されたストラップ１６によってポーチ本体５を持ち運べる（短い場合はユーザが手に持ち、長い場合は肩に掛ける）。
【００１５】
またこの実施の形態の場合、ポーチ本体５の下端面には充電プラグ・イヤホンジャック用穴２１が設けられて、この充電プラグ・イヤホンジャック用穴２１を介して外部から差し込まれたプラグによってポーチ本体５内に挿入されたスマートフォン１０を充電したり、通話をしたりできるようになされている。
【００１６】
以上の構成に加えてタッチパネル機器用ポーチ１は図３に示すように裏側シート２Ｂの表面に意匠画印刷面２５を形成している。
【００１７】
この意匠画印刷面２５は図１〜図３に示す構成のタッチパネル機器用ポーチ１を完成させた後に、インクジェットプリンタによって意匠画を印刷することを目的として用意されており、この目的を達成するために意匠画印刷面２５は印刷用インクが印刷しやすい合成皮革を表側シート２Ａに重ねて縫製されており、この実施の形態の場合当該意匠画印刷面２５の表面の色彩はインクの転写がしやすい色として白色が選定されている。
【００１８】
ここで意匠画印刷面２５に印刷される意匠画としては、必要に応じて多彩な絵柄やデザインを選定したり、写真を選定したりすることができ、要はユーザ（一般的な需要者）に当該タッチパネル機器１０を自分の身の手回り品として愛用したくなるような感覚を持たせるような意匠図柄にすることが望ましい。
【００１９】
ここでポーチ本体５はタッチパネル機器としてのスマートフォン１０として図４及び図５に示すように小型スマートフォン１０Ｘを収納するばかりではなく、図６に示すように大型スマートフォン１０Ｙをも収納できる。
【００２０】
小型スマートフォン１０Ｘを収納する場合、小型スマートフォン１０Ｘは図５に示すように、スマートフォン１０の前面が操作窓１１より小さいことを利用して、表側シート２Ａの操作窓１１内に来るように、ユーザが位置決めし、これにより小型スマートフォン１０Ｘの前面を全体として操作フィルム１２が覆うような状態にする。
【００２１】
かくしてユーザは操作窓１１を介して見ることができる小型スマートフォン１０Ｘの表示面全体を見ながら操作フィルム１２を介して小型スマートフォン１０Ｘの機能を実行させることができる。
【００２２】
これに対して大型スマートフォン１０Ｙをポーチ本体５に挿入する場合は、図６に示すように、ユーザは、ポーチ本体５の操作窓１１には大型スマートフォン１０Ｙの全面を表示させることなく、大型スマートフォン１０Ｙを機能させるのに必要な操作要素を操作窓１１内に表示させるようになる。
【００２３】
しかしこの場合もユーザは大型スマートフォン１０Ｙの機能を実行させるのに必要な操作要素を操作窓１１を介して利用することができることにより、周辺部分は表側シート２Ａに隠れることを意識しながら大型スマートフォン１０Ｙの全ての機能を操作窓１１を介して実行させることができる。
【００２４】
かくして小型スマートフォン１０Ｘ及び大型スマートフォン１０Ｙのいずれを収納する場合も、操作フィルム１２は外部からの不測の衝撃による外傷に対して保護機能を実現すると同時に、ポーチ本体５内に収納したスマートフォンの機能を全体として実行させることに用いられる。
【００２５】
これらのいずれの場合も、裏側シート２Ｂに形成できる意匠画印刷面２５について意匠面を印刷した場合は、操作上の支障なく意匠的効果を発揮させることができることにより、ユーザは使い易さを感じながら、安全に、ポーチ本体５内に収納したスマートフォンを活用することができる。
【００２６】
なお、図１ないし図３の実施の形態においては、裏側シート２Ｂの裏面に意匠画印刷面２５を設けたが、これに加えて図１に示す表側シート２Ａの操作窓１１の周囲にある表面部分に、同じような意匠効果を生ずる意匠画を印刷するようにしても良い。
【００２７】
この実施の形態の場合、表側シート２Ａ及び裏側シート２Ｂはポーチ本体５の挿入口３を形成する部分のシート厚み内に、図７に示すように、マグネット小片３１Ａ及び３１Ｂが設けられていると共に、これに対向する位置に鉄板片３２Ａ及び３２Ｂが設けられ、これによりユーザ３５が挿入口３を開いたときマグネット小片３１Ａ及び３１Ｂが鉄板片３２Ａ及び３２Ｂから離間することにより挿入口３を開いてスマートフォン１０の出し入れを行うことができ、この操作をユーザ３５がやめたときマグネット小片３１Ａ及び３１Ｂが鉄板片３２Ａ及び３２Ｂに吸着することにより挿入口３を閉じることができるようになされている。
【００２８】
かかる挿入口３の開閉構造は、図８に示すように、極性を異にするマグネット板３３及び３４を設けるようにしても、同じように開閉動作させることができる。
【００２９】
（２）他の実施の形態
（２−１）図９は他の実施の形態を示すもので、図１との対応部分に同一符号を付して示すように、ポーチ本体５の裏側シート２Ｂ側にさらに小物入れ４０を形成すると共に、当該小物入れ４０の裏側表面に意匠画印刷面２５を設けた構成を有する。
【００３０】
この場合小物入れ４０の表側シート４０Ａ及び裏側シート４０Ｂの側面シート４１は２枚の折りたたみシート部４１Ａ及び４１Ｂによって構成されて、これにより表側シート４０Ａ及び裏側シート４０Ｂによって形成される挿入口４２が開閉操作されたとき、折りたたみシート部４１Ａ及び４１Ｂが矢印ａで示すように折りたたみ動作することにより、小物入れ４０の体積が必要に応じて大きくなるようになされている。
【００３１】
図９の構成によれば、スマートフォン１０を収納するタッチパネル機器用ポーチ１の機能に加えて小物入れ４０により、小物として例えば定期券や眼鏡やヘッドフォンなどを収納するポケットとしての機能を実現でき、これによりタッチパネル機器用ポーチ１の実用性を拡大することができる。
【００３２】
（２−２）図１０は図９の変形例を示すもので、図９との対応部分に同一符号を付して示すように、この実施の形態の場合、図９における２枚の折りたたみシート部４１Ａ及び４１Ｂのうち、裏側の折りたたみシート部４１Ｂを省略した構成を有する。
【００３３】
この場合残った折りたたみシート部４１Ａは矢印ｂで示すように挿入口４２の開閉動作として少し開口面積は小さくなるが、開閉動作が確実になることにより、ポーチ本体５の一部を構成する小物入れとして取り扱いがし易いタッチパネル機器用ポーチ１を実現できる。
【００３４】
（２−３）上述の実施の形態においては、表側シート２Ａ及び裏側シート２Ｂの一体化、並びに操作フィルム１２及び表側シート２Ａとの一体化するにつき、ミシン糸４並びに４Ｘを用いたが、これに代え、装着プレスや超音波溶着を用いるようにしても、上述の場合と同様の効果を得ることができる。
【００３５】
（２−４）上述の実施の形態においては、ポーチ本体５として合成樹脂材料で構成した場合について述べたが、これに代え布材料を用いるようにしても良い。
【産業上の利用可能性】
【００３６】
本考案はスマートフォン等のタッチパネル機器用ポーチとして利用できる。
【符号の説明】
【００３７】
１……タッチパネル機器用ポーチ、２Ａ、２Ｂ……表側シート、裏側シート、３、４２……挿入口、４、４Ｘ……ミシン糸、５……ポーチ本体、１０……スマートフォン、１１……操作窓、１２……操作フィルム、１３……操作面、１６……ストラップ、２１……充電プラグ・イヤホンジャック用穴、２５……意匠画印刷面、４０……小物入れ、４１……折りたたみシート部。
【図１】
0003211944.tif 000003
【図２】
0003211944.tif 000004
【図３】
0003211944.tif 000005
【図４】
0003211944.tif 000006
【図５】
0003211944.tif 000007
【図６】
0003211944.tif 000008
【図７】
0003211944.tif 000009
【図８】
0003211944.tif 000010
【図９】
0003211944.tif 000011
【図１０】
0003211944.tif 000012